(57)【要約】【課題】幅調整の自由度を拡げ、且つ幅調整のための負担を軽くすることを可能とする。【解決手段】可撓性で少なくとも動物の足を入れ込む保定穴１５を備え動物の腹部から側部にかけて担持する面状保定部７及び該面状保定部７の両端に各一対の握り部９，１１を備えた担架部３と、該担架部３を着脱可能に載置係合させる載置フレーム５とからなる動物用保定台１において、前記載置フレーム５は、一対の脚部ロッド２９，３１の中間部が回転自在に結合されてＸ字状をなす少なくとも一対のＸフレーム２１，２２と、該Ｘフレーム２１，２２の起立姿勢を保持させる姿勢保持部２３と、前記一対の脚部ロッド２９，３１の交角θを調整するための調整部２５と、前記握り部９，１１をＸフレーム２１，２２の交角θ方向両側に載置係合させるための係止部２７とを備えたことを特徴とする。【選択図】図１
2008099672.tif 000002
【特許請求の範囲】
【請求項１】
可撓性で動物の足を入れ込む保定穴を備え動物の腹部から側部にかけて担持する面状保定部と、該面状保定部を支持する載置フレームとからなる動物用保定台であって、
前記載置フレームは、一対の脚部ロッドの中間部が回転自在に結合されてＸ字状をなす少なくとも一対のＸフレームと、該Ｘフレームの起立姿勢を保持させる姿勢保持部と、前記一対の脚部ロッドの交角を調整して前記面状保定部による担持幅を調整するための調整部と、
を備えたことを特徴とする動物用保定台。
【請求項２】
可撓性で動物の足を入れ込む保定穴を備え動物の腹部から側部にかけて担持する面状保定部及び該面状保定部の両端に各一対の握り部を備えた担架部と、
該担架部を着脱可能に載置係合させる載置フレームとからなる動物用保定台であって、
前記載置フレームは、一対の脚部ロッドの中間部が回転自在に結合されてＸ字状をなす少なくとも一対のＸフレームと、該Ｘフレームの起立姿勢を保持させる姿勢保持部と、前記一対の脚部ロッドの交角を調整して前記面状保定部による担持幅を調整するための調整部と、前記握り部をＸフレームの交角方向両側に載置係合させるための係止部と、
を備えたことを特徴とする動物用保定台。
【請求項３】
請求項１記載の動物用保定台であって、
前記姿勢保持部は、前記脚部ロッドの先端間を連結する一対の架設ロッドである、
ことを特徴とする動物用保定台。
【請求項４】
請求項２記載の動物用保定台であって、
前記姿勢保持部は、前記脚部ロッドの先端間を連結する一対の架設ロッドであり、
前記係止部は、前記架設ロッドに取り付けられたＵ字状の留め具である、
ことを特徴とする動物用保定台。
【請求項５】
請求項１〜４の何れかに記載の動物用保定台であって、
前記調整部は、前記Ｘフレームの脚部ロッドに螺合して軸回りの回転駆動により一対の脚部ロッドの交角を調整可能とするねじ軸を備えた、
ことを特徴とする動物用保定台。
【請求項６】
請求項３記載の動物用保定台であって、
前記調整部は、前記載置フレームの架設ロッドに取り付けられ架設ロッド間に巻回される帯状部材及び該帯状部材に取り付けられ巻回し長さを調整可能とする面状ファスナとよりなり、
前記巻回し長さの調整により前記脚部ロッドの交角を調整可能とする、
ことを特徴とする動物用保定台。
【請求項７】
請求項４記載の動物用保定台であって、
前記調整部は、前記載置フレームの架設ロッド又は担架部の握り部に取り付けられ架設ロッド又は握り部間に巻回される帯状部材及び該帯状部材に取り付けられ巻回し長さを調整する面状ファスナとよりなり、
前記巻回し長さの調整により前記脚部ロッドの交角を調整可能とする、
ことを特徴とする動物用保定台。
【請求項８】
可撓性で動物の足を入れ込む保定穴を備え動物の腹部から側部にかけて担持する面状保定部及び該面状保定部の両端に各一対の握り部を備えた担架部と、
該担架部を着脱可能に載置係合させる載置フレームとからなる動物用保定台であって、
前記載置フレームは、上端部が少なくとも一対の結合部材に結合されて起立姿勢を保持可能な二股状脚フレームと、前記各結合部材に下部側が回転可能に結合され各結合部材対してそれぞれ上開き状態に動作可能な少なくとも一対の二股状支持フレームと、前記結合部材に対する二股状支持フレームの回転位置を変更可能に固定し該二股状支持フレームの上開き角度を変更調整可能な角度調整部と、前記二股状支持フレームに設けられ前記握り部を二股状支持フレームの交角方向両側に載置係合させるための係止部と、
からなることを特徴とする動物用保定台。
【請求項９】
請求項８記載の動物用保定台であって、
前記角度調整部は、前記結合部材に回転自在に支持された前記二股状支持フレームの各回転軸に取り付けられ相互に噛み合う連動歯車と、前記結合部材に対する回転軸の回転を解除可能に締結固定する締結部と、
からなることを特徴とする動物用保定台。
【請求項１０】
請求項８又は９記載の動物用保定台であって、
前記各回転軸に、前記二股状支持フレームの上開きの最大角度で突き当たる角度ストッパを設けた、
ことを特徴とする動物用保定台。
【請求項１１】
請求項８〜１０の何れかに記載の動物用保定台であって、
前記二股状脚フレームは、前記結合部材に対する下開き角度を変更調整可能である、
ことを特徴とする動物用保定台。
【請求項１２】
請求項１〜１１の何れかに記載の動物用保定台であって、
前記面状保定部に、前記保定穴に足を入れ込んで担持した動物の首部に対向する採血用の採血穴を設けた、
ことを特徴とする動物用保定台。
【発明の詳細な説明】
【技術分野】
【０００１】
本発明は、動物病院などで使用される動物用保定台に関する。
【背景技術】
【０００２】
従来の動物用保定台としては、例えば特許文献１に記載されたものがある。この動物用保定台は、担架の面状保定部が、動物の足を入れ込む保定穴及び採血用の採血穴を備え、動物の足を保定穴に入れて担持させ、採血穴から注射器を用いて採血することができる。動物の大きさに対する幅調整は、フレーム側の突出部間に対して担架のハンドルを乗せ変えることで行う。
【０００３】
しかし、ハンドルの乗せ換えは２段階であり、幅調整の自由度が狭く、且つ乗せ換えによる幅調整のための負担が大きいという問題がある。
【０００４】
【特許文献１】特表２００１−５０５７９９号公報
【発明の開示】
【発明が解決しようとする課題】
【０００５】
解決しようとする問題点は、幅調整の自由度が狭く、且つ幅調整のための負担が大きい点である。
【課題を解決するための手段】
【０００６】
本発明は、幅調整の自由度を拡げ、且つ幅調整のための負担を軽くするため、
可撓性で動物の足を入れ込む保定穴を備え動物の腹部から側部にかけて担持する面状保定部と、該面状保定部を支持する載置フレームとからなる動物用保定台において、前記載置フレームは、一対の脚部ロッドの中間部が回転自在に結合されてＸ字状をなす少なくとも一対のＸフレームと、該Ｘフレームの起立姿勢を保持させる姿勢保持部と、前記一対の脚部ロッドの交角を調整して前記面状保定部による担持幅を調整するための調整部とを備えたことを最も主要な特徴とする。
【発明の効果】
【０００７】
本発明は、可撓性で動物の足を入れ込む保定穴を備え動物の腹部から側部にかけて担持する面状保定部と、該面状保定部を支持する載置フレームとからなる動物用保定台において、前記載置フレームは、一対の脚部ロッドの中間部が回転自在に結合されてＸ字状をなす少なくとも一対のＸフレームと、該Ｘフレームの起立姿勢を保持させる姿勢保持部と、前記一対の脚部ロッドの交角を調整して前記面状保定部による担持幅を調整するための調整部とを備えたため、調整部の調整により一対の脚部ロッドの交角を調整することで担架部の担持幅を容易に調整することができ、且つ幅調整の自由度を拡げることができる。
【発明を実施するための最良の形態】
【０００８】
幅調整の自由度を拡げ、且つ幅調整のための負担を軽くするという目的を、Ｘフレームの載置フレームにより実現した。
【実施例１】
【０００９】
図１は、本発明の実施例１に係る動物用保定台の一部切断斜視図である。
【００１０】
図１のように、動物用保定台１は、担架部３と載置フレーム５とからなっている。
【００１１】
担架部３は、載置フレーム５に対して着脱可能に載置係合可能であり、面状保定部７及び握り部９，１１を備えている。
【００１２】
面状保定部７は、テント地等の可撓性の布、ビニールコーティングのシート、網材などにより形成され、下方へ垂れ下がることができるようになっている。面状保定部７は、平面視で矩形に形成され、両縁部にロッド挿通部１３を備え、中央部に保定穴１５及び採血穴１７が設けられている。
【００１３】
保定穴１５は、動物の足を入れ込むものであり、前後左右の４個備えられている。保定穴１５の個数、形状、相互間隔等の設定は自由である。保定穴１５は、丸穴、長穴等で形成することができる。保定穴１５は、動物の大きさに合わせて足を入れ替えることができるように６個以上備えることもできる。
【００１４】
採血穴１７は、保定穴１５の間で保定穴１５よりも面状保定部７の端縁部側に配置されている。採血穴１７は、注射器により動物の首部から採血するために使用され、保定穴１５に足を入れ込んで担持した動物の首部に対向するように配置されている。
【００１５】
各ロッド挿通部１３には、担架ロッド１９が挿通されている。担架ロッド１９の各端部で構成される握り部９，１１は、ロッド挿通部１３から突出している。従って、面状保定部７の両端に各一対の握り部９，１１を備えた構成となっている。
【００１６】
載置フレーム５は、Ｘフレーム２１，２２と、姿勢保持部２３と、調整部２５と、係止部２７とから成っている。
【００１７】
Ｘフレーム２１，２２は、一対の脚部ロッド２９，３１の中間部が、回転支持部３３により回転自在に結合されてＸ字状をなし、少なくとも一対の組み合わせで構成されている。回転支持部３３は、例えば中心部を相対回転自在に結合した一対の円盤３５，３７を備え、脚部ロッド２９が円盤３５に結合され、脚部ロッド３１が円盤３７に結合されている。
【００１８】
Ｘフレーム２１，２２は、本実施例においてベース３９に調整部２５を介して取り付けられている。調整部２５は、一対の脚部ロッド２９，３１の交角θを調整するためのものであり、各Ｘフレーム２１，２２に応じてねじ軸４１，４３を備えている。ねじ軸４１，４３は、ベース３９に回転自在に支持されている。
【００１９】
ねじ軸４１，４３には、調整部２５の駆動用の電動モータ４５，４７が各別に結合されている。電動モータ４５，４７は、操作ボックス４９に電気的に接続されている。操作ボックス４９は、電動モータ４５，４７を各別に正逆駆動回転可能にする操作ボタンと、電動モータ４５，４７を同期して正逆駆動回転可能にする操作ボタンとを備えている。
【００２０】
Ｘフレーム２１，２２の一方の脚部ロッド２９の下端は、ベース３９の支持部５０に交角θ方向へ回転可能に結合されている。Ｘフレーム２１，２２の他方の脚部ロッド３１の下端は、移動ブロック５５に交角θ方向へ回転可能に結合され、移動ブロック５５は、ねじ軸４１，４３に螺合している。
【００２１】
従って、ねじ軸４１，４３の回転駆動により脚部ロッド３１下端の移動ブロック５５が脚部ロッド２９下端に対して交角θを拡げ或いは狭める方向へ接近離反移動可能となっている。すなわち、Ｘフレーム２１の脚部ロッド２９，３１に螺合して軸回りの回転駆動により一対の脚部ロッド２９，３１の交角θを調整可能とするねじ軸４１，４３を備えた構成となっている。
【００２２】
なお、一方のねじ軸４１に、調整部２５の駆動用の電動モータを結合し、ねじ軸４１，４３に、スプロケットを取り付け、スプロケットに、チェーンを掛け回す構成によりねじ軸４１，４３を連動回転させる構成にすることもできる。
【００２３】
姿勢保持部２３は、各Ｘフレーム２１，２２の起立姿勢を保持させるものであり、各Ｘフレーム２１，２２の脚部ロッド２９，３１の先端を連結する一対の架設ロッド５７、５９を備え、架設ロッド５７，５９によりＸフレーム２１，２２相互を連れ持たせ、起立姿勢を保持するようになっている。各Ｘフレーム２１，２２の脚部ロッド２９，３１の先端と一対の架設ロッド５７，５９との連結は、ボルトの締結等により行われている。
【００２４】
但し、脚部ロッド２９，３１と一対の架設ロッド５７，５９とを一体の部材として構成することもできる。また、姿勢保持部２３は、脚部ロッド２９，３１の下端を支持台に取り付けることで起立姿勢を保持させる構成にすることもできる。支持台は、各Ｘフレーム２１，２２毎に分離して構成することもできる。
【００２５】
係止部２７は、握り部９，１１をＸフレームの交角θ方向両側に載置係合させるためのものであり、架設ロッド５７，５９に取り付けられたＵ字状の留め具６１で構成されている。留め具６１は、各架設ロッド５７，５９に２個取り付けられ、熔接などにより固定されている。留め具６１は、交角θの調整により、傾斜することもあるが、握り部９，１１の係止には支障がないように形成されている。
【００２６】
係止部２７を架設ロッド５７，５９に吊り下げるフックで構成すれば、傾斜の問題はなくなる。
【００２７】
なお、留め具６１は、各Ｘフレーム２１，２２の脚部ロッド２９，３１の先端等に取り付ける構成にすることもできる。    
［動物の保定動作］
担架部３を載置フレーム５から取り外した状態で、面状保定部７の各保定穴１５に動物の各足を入れ込んで腹部から側部にかけて保定する。
【００２８】
動物が犬、猫などの小動物の場合は、担架部３の握り部９，１１を２人で握り、担架部３を持ち上げ、握り部９，１１を留め具６１に図１のように係止させる。
動物が馬など大型の場合はクレーンを用いて担架部３を載置フレーム５へ乗せる。
【００２９】
なお、動物用保定台１は、全ての大きさの動物に共用して使用するのではなく、大小の動物に応じた大きさのものが用意され、それぞれが、中型の動物程度までは共用できると言ったものである。
【００３０】
犬猫で共用するものとして、その大きさに応じて面状保定部７による担持幅を調整するときは、操作ボックス４９を操作して電動モータ４５，４７により、ねじ軸４１，４３を正転又は逆転方向に同期して回転駆動させる。この回転駆動により移動ブロック５５がねじ軸４１，４３に沿って移動し、脚部ロッド２９，３１の交角θが調整される。脚部ロッド２９，３１の交角θの調整により架設ロッド５７，５９が接近又は離反し、面状保定部７の担持幅Ｌを調整することができる。
【００３１】
操作ボックス４９の操作により電動モータ４５，４７の各別の回転駆動操作により面状保定部７を電動モータ４７側で低く高さ設定することもできる。この高さ設定により面状保定部７を若干傾斜させることができ、排泄された尿などを傾斜下方側へ自動的に流下させることができる。
【００３２】
動物が雄の場合は、局部を露出させるための排泄孔を設けることもできる。
【００３３】
電動モータを１個とし、スプロケット及びチェーンにより連動回転させるものでは、高さ調整、傾斜調整のための構造をベース３９自体に形成することもできる。
【００３４】
［適用例］
図２〜図９は、適用例１，２を示し、図２，図６は、担架部に係り、図２は、平面図、図６は、斜視図、図３，図７は、載置フレームに担架部を載置した状態の側面図、図４，図８は、同平面図、図５，図９は、同正面図である。図３〜図５及び図７〜図９においては、ベースを省略して説明する。
【００３５】
図２〜図５の適用例１は、豚、図６〜図９の適用例２は、馬に適用したものである。犬、猫などにも広く適用することができることは勿論である。
【００３６】
豚の４本の足を図２の担架部３の各保定穴１５に入れ、クレーンを用いて図３〜図５のように担架部３を載置フレーム５へ乗せる。
【００３７】
この状態で、採血穴１７において注射器により採血をすることができる。
【００３８】
図６〜図９のように、馬の場合も基本的には同様である。但し、馬のように首の長い動物の場合は、担架部３に勾配部６３を設けている。採血穴１７は、勾配部６３に形成され、馬の場合でも採血穴１７から容易に採血することができる。
【００３９】
［実施例１の効果］
可撓性で少なくとも動物の足を入れ込む保定穴１５を備え動物の腹部から側部にかけて担持する面状保定部７及び該面状保定部７の両端に各一対の握り部９，１１を備えた担架部３と、該担架部３を着脱可能に載置係合させる載置フレーム５とからなる動物用保定台１において、前記載置フレーム５は、一対の脚部ロッド２９，３１の中間部が回転自在に結合されてＸ字状をなす少なくとも一対のＸフレーム２１，２２と、該Ｘフレーム２１，２２の起立姿勢を保持させる姿勢保持部２３と、前記一対の脚部ロッド２９，３１の交角θを調整するための調整部２５と、前記握り部９，１１をＸフレーム２１，２２の交角θ方向両側に載置係合させるための係止部２７とを備えたため、調整部２５の調整により一対の脚部ロッド２９，３１の交角θを調整することで担架部３の担持幅Ｌを容易に調整することができ、且つ幅調整の自由度を拡げることができる。
【００４０】
従って、担架部３の面状保定部７により動物の腹部から脇部に掛けて包み込むように担持することができる。この担持により動物は安心感を持ち、採血穴１７から容易に採血することができる。
【実施例２】
【００４１】
図１０は、この発明の実施例２に係る動物用保定台の一部切欠斜視図である。
なお、実施例１と同一又は対応する構成部分には、同符号又は同符号にＡを付して説明する。
【００４２】
図１０のように、本実施例の動物用保定台１Ａは、Ｘフレーム２１Ａ，２２Ａの脚部ロッド２９Ａ，３１Ａと姿勢保持部２３Ａの架設ロッド５７Ａ，５９Ａとが一体に形成されている。本実施例では、Ｘフレーム２１Ａ，２２Ａを支持するベース及び電動モータによる調整部が設けられていない。  
脚部ロッド２９Ａ，３１Ａは、長さ方向に伸縮調整可能に形成され、中間部に調整した長さ位置で固定する締結部６５が設けられている。締結部６５を一旦緩め、脚部ロッド２９Ａ，３１Ａの長さを調整し、再度締結部６５を締め込むことで脚部ロッド２９Ａ，３１Ａの長さを個別に調整することができる。
【００４３】
脚部ロッド２９Ａ，３１Ａの長さ調整により、担架部３の高さ設定、傾斜設定ができる。
【００４４】
なお、脚部ロッド２９Ａ，３１Ａの長さ調整は、回転支持部３３の上下で各別に行わせる構造にすることもできる。  
図１１，図１２は、本実施例の調整部を示し、図１１は、帯状部材の斜視図、図１２は、調整部の断面図である。
【００４５】
図１１，図１２のように、調整部２５Ａは、帯状部材６７及び面状ファスナ６９を備えている。帯状部材６７の一端に筒部７１を備え、帯状部材６７の先端側に面状ファスナ６９の雌雄一方７３が取り付けられ、中間部に複数の雌雄他方７５が連設されている。
【００４６】
一対の帯状部材６７の各筒部７１は、例えば担架部３の一側の握り部９，１１にそれぞれ取り付けられ、帯状部材６７の各先端側は、他側の握り部９，１１に巻回される。面状ファスナ６９の雌雄一方７３を複数の雌雄他方７５に選択的に結合することで帯状部材６７の握り部９，９及び握り部１１，１１間での巻回し長さを調整する。
【００４７】
帯状部材６７の巻回し長さの調整により握り部９，９及び握り部１１，１１間の間隔を調整することができ、前記同様Ｘフレーム２１，２２の交角θを調整することで担架部３の担持幅を容易に調整することができる。
【実施例３】
【００４８】
図１３〜図１９は、この発明の実施例３に係り、図１３は、動物用保定台の側面図、図１４は、同正面図、図１５は、同要部拡大側面図、図１６は、同要部拡大正面図、図１７は、図１５のＸＶＩＩ矢視における要部拡大背面図、図１８は、角度調整部の断面図、図１９は、角度ストッパの拡大図である。なお、担架部３の構造は、上記実施例と同一であるため、同一符号を付し、重複した説明は省略する。
【００４９】
図１３〜図１６のように、本実施例の動物用保定台１Ｂは、載置フレーム５Ｂが、二股状脚フレーム１０１，１０３及び二股状支持フレーム１０５，１０７からなり、二股状支持フレーム１０５，１０７に係止部２７Ｂを設けた構成となっている。
【００５０】
前記二股状脚フレーム１０１，１０３は、それぞれ脚フレーム部１０９，１１１の上端部を一対の結合部材としての結合パネル１１３，１１５に結合されて起立姿勢を保持可能となっている。脚フレーム部１０９，１１１は、接地フレーム部１０９ａ，１１１ａにより一体に形成されている。但し、接地フレーム部１０９ａ，１１１ａを省略し、二股状脚フレーム１０１，１０３を、それぞれ脚フレーム部１０９，１１１のみの構成によりそれぞれ独立した構成にすることも可能である。
前記各脚フレーム部１０９は、結合パネル１１３，１１５の対向方向外面側に取り付けられた支持筒１１７，１１９に熔接などにより固定され、各脚フレーム部１１１は、結合パネル１１３，１１５の対向方向内面側に取り付けられた支持筒１２１，１２３に熔接などにより固定されている。
前記支持筒１１７，１２１相互及び支持筒１１９，１２３相互は、ボルト・ナット１２５により結合パネル１１３，１１５に締結固定され、支持筒１１７，１２１及び支持筒１１９，１２３の回転位置が固定されている。この固定により、二股状脚フレーム１０１，１０３は、脚フレーム部１０９，１１１間が下開き角度θにより接地フレーム部１０９ａ，１１１ａにおいて接地し、起立状態を維持可能となっている。
前記二股状脚フレーム１０１，１０３は、前記結合パネル１１３，１１５に対する下開き角度θを変更調整可能である。この変更は、支持筒１１９，１２１相互及び支持筒１１９，１２３相互を、結合パネル１１３，１１５に締結する各ボルト・ナット１２５を緩め、脚フレーム部１０９，１１１間の下開き角度θを調整した後、再度ボルト・ナット１２５を締め込むことで行うことができる。
前記二股状支持フレーム１０５，１０７は、各二本の支持フレーム部１２７，１２９の下部側、本実施例では下端が、結合パネル１１３，１１５に回転可能に結合されたものであり、各結合パネル１１３，１１５に対してそれぞれ上開き状態に動作可能となっている。各二股状支持フレーム１０５，１０７の結合パネル１１３，１１５に対する結合構造は同一である。従って、二股状支持フレーム１０５の結合構造につき図１５〜図１９を用いて説明する。
前記支持フレーム部１２７，１２９の下端には、ボス部材１３１，１３３がビス１３５により固定され、ボス部材１３１，１３３に回転軸１３７，１３９が固定して取り付けられている。この各回転軸１３７，１３９が結合部パネル１１３に回転可能に支持され、支持フレーム部１２７，１２９の下端が、結合パネル１１３に対し回転可能となっている。
なお、二股状支持フレーム１０５，１０７は、支持フレーム部１２７及び支持フレーム１２９相互の上端を、図１３の左右方向で一体に連結し、二股状脚フレーム１０１，１０３のような枠構成にすることも可能である。
前記各回転軸１３７，１３９には、角度調整部１４１が設けられ、結合パネル１１３，１１５に対する二股状支持フレーム１０５の二本の支持フレーム部１２７，１２９の回転位置を変更可能に固定し、図１４のように、二股状支持フレーム１０５の上開き角度α１，α２等と変更調整可能になっている。
なお、二股状支持フレーム１０５，１０７を、二股状脚フレーム１０１，１０３のような構成にしたときは、図１３において左右一方のみ設ける構成にすることもできる。
前記角度調整部１４１は、図１５〜図１９のように構成されている。なお、図１８では、回転軸１３７側の断面を示すが、回転軸１３７，１３９の構造は同一であるため、対応する構成部分に符号を併記する。
前記回転軸１３７（１３９）は、段付き状に形成され、段部１３７ａ（１３９ａ）が、結合パネル１１３の一方の面に突き当てられている。この回転軸１３７（１３９）に対して前記角度調整部１４１を構成する連動歯車１４３，１４５と締結部１４７とが設けられている。
前記連動歯車１４３，１４５は、各回転軸１３７（１３９）の一端に、回転不能に嵌合し、相互に噛み合っている。この連動歯車１４３，１４５は、角度ストッパ１４８，１４９と共に各ボルト１５１により回転軸１３７（１３９）に締結固定されている。角度ストッパ１４７，１４９は、ビス１５３により連動歯車１４３，１４５に締結されている。
前記連動歯車１４３，１４５の噛合により回転軸１３７，１３９が連動回転する。前記角度ストッパ１４８，１４９は、矩形板状に形成され、図１９のように回転方向に相互に突き当たって、二股状支持フレーム１０５の上開きの最大角度α２を決定する。
前記連動歯車１４３，１４５を含めて、前記回転軸１３７（１３９）の一端部は、着脱自在なカバー１５５で覆われている。
前記締結部１４７は、回転軸１３７に設けられ、この回転軸１３７に固定された支持フレーム部１２７の下端部は、ワッシャ１５７を介して結合パネル１１３の他方の面側に配置され、ボス部材１３１の凹部１５９に配置したコイルスプリング１６１をワッシャ１５７に弾接させている。
前記回転軸１３７の他端には、締め付けハンドル１６３が螺合して取り付けられ回転軸１３７を結合パネル１１３に対して締結固定可能となっている。前記回転軸１３９の他端には、ナット１６５が締結され、回転軸１３９は、結合パネル１１３に対して回転自在に支持されている。
従って、締め付けハンドル１６３の締結を緩めると、コイルスプリング１６１の弾発力により支持フレーム部１２７の下端部が結合パネル１１３側から若干離れ、支持フレーム１２７を回転軸１３７の軸心回りに回転させることができる。回転軸１３７が回転すると、連動歯車１４３，１４５の噛み合いを介して回転軸１３９が同角度反対方向へ回転する。
この回転軸１３７，１３９の回転調整後に締め付けハンドル１６３を再度締結すると、支持フレーム部１２７を結合パネル１１３に対して締結固定することができ、連動歯車１４３，１４５の噛み合いを介して回転軸１３９の回転位置も固定することができる。
従って、二股状支持フレーム１０５の上開き角度α１，α２等と変更調整することができる。最大の上開き角度α２では、角度ストッパ１４８，１４９が図１９のように突き当たって支持フレーム１２７，１２９の位置決めがなされる。
前記二股状支持フレーム１０７においても、同様の構造により上開き角度α１，α２等と変更調整することができる。
前記係止部２７Ｂは、担架ロッド１９の握り部９，１１を支持フレーム部１２７，１２９の交角α方向両側に載置係合させるためのものであり、支持フレーム部１２７，１２９に取り付けられた金属板材で形成された断面Ｊ字状の留め具６１Ｂで構成されている。留め具６１Ｂは、支持フレーム部１２７，１２９の計４カ所に取り付けられ、熔接などにより固定されている。
従って、担架部３の握り部９，１１を、係止部２７Ｂの各留め具６１Ｂに載置支持させることで、実施例１と同様な作用効果を奏することができる。
また、本実施例では、下部の二股状脚フレーム１０１，１０３の交角θに対して上部の二股状支持フレーム１０５，１０７の上開き角度α１，α２等を独立して変更調整することができ、担架ロッド１９間の間隔を保定する動物の大きさに応じてより容易に調整することができる。
［その他］
なお、脚部ロッド、架設ロッド等は、中空のパイプで形成することもできる。
【００５１】
ねじ軸にハンドルを取り付けた構成とし、ねじ軸を手動で回転調整する構成にすることもできる。  
脚部ロッドやベースにロードセルを介設し、その信号をコンピュータで処理して動物用保定台１，１Ａに保定した動物の体重をデジタル表示させる構成にすることもできる。  
担架部と載置フレームとを別体とすることなく、架設ロッドに面状保定部を直接支持させる構成にすることもできる。この場合、留め具は省略される。
【００５２】
Ｘフレーム２１，２２は、回転支持部３３の上下で分離構造とし、開き角度を別々に調整可能にすることもできる。例えば回転支持部を４枚の円盤で構成し、各円盤にＸフレームの各脚部ロッドの上下部分を各別に結合し、各円盤をねじなどによる締結固定構造とする。各円盤間にはフリクションが作用し、ねじを緩めても自由回転はしない。回転支持部を緩めることで、各脚部ロッドの上下部分を各別に開き調整することができる。
【００５３】
二股状脚フレーム１０１，１０３の交角θも、ハンドル操作により調整する構造にすることもできる。
【図面の簡単な説明】
【００５４】
【図１】動物用保定台の一部切断斜視図である（実施例１）。
【図２】担架部に係り、平面図である（実施例１）。
【図３】載置フレームに担架部を載置した状態の側面図である（実施例１）。
【図４】載置フレームに担架部を載置した状態の平面図である（実施例１）。
【図５】載置フレームに担架部を載置した状態の正面図である（実施例１）。
【図６】担架部に係り、斜視図である（実施例１）。
【図７】載置フレームに担架部を載置した状態の側面図である（実施例１）。
【図８】載置フレームに担架部を載置した状態の平面図である（実施例１）。
【図９】載置フレームに担架部を載置した状態の正面図である（実施例１）。
【図１０】動物用保定台の一部切断斜視図である（実施例２）。
【図１１】帯状部材の斜視図である（実施例２）。
【図１２】調整部の斜視図である（実施例２）。
【図１３】動物用保定台の側面図である（実施例３）。
【図１４】動物用保定台の正面図である（実施例３）。
【図１５】動物用保定台の要部拡大側面図である（実施例３）。
【図１６】動物用保定台の要部拡大正面図である（実施例３）。
【図１７】図１５のＸＶＩＩ矢視における要部拡大背面図である（実施例３）。
【図１８】角度調整部の断面図である（実施例３）。
【図１９】角度ストッパの拡大図である（実施例３）。
【符号の説明】
【００５５】
１，１Ａ，１Ｂ  動物用保定台  
３  担架部  
５，５Ｂ  載置フレーム  
７  面状保定部  
９，１１  握り部  
１５  保定穴
１７  採血穴
２１，２１Ａ，２２，２２Ａ  Ｘフレーム
２３  姿勢保持部
２５，２５Ａ  調整部
２７，２７Ｂ  係止部
２９，２９Ａ，３１，３１Ａ  脚部ロッド
３３  回転支持部  
４１，４３  ねじ軸
４５，４７  電動モータ
５７，５７Ａ，５９，５９Ａ  架設ロッド
６７  帯状部材
６９  面状ファスナ
１０１，１０３  二股状脚フレーム
１０５，１０７  二股状支持フレーム
１１３，１１５  結合パネル（結合部材）
１４１  角度調整部
１４３，１４５  連動歯車
１４７  締結部
１４８，１４９  角度ストッパ
【図１】
2008099672.tif 000003
【図２】
2008099672.tif 000004
【図３】
2008099672.tif 000005
【図４】
2008099672.tif 000006
【図５】
2008099672.tif 000007
【図６】
2008099672.tif 000008
【図７】
2008099672.tif 000009
【図８】
2008099672.tif 000010
【図９】
2008099672.tif 000011
【図１０】
2008099672.tif 000012
【図１１】
2008099672.tif 000013
【図１２】
2008099672.tif 000014
【図１３】
2008099672.tif 000015
【図１４】
2008099672.tif 000016
【図１５】
2008099672.tif 000017
【図１６】
2008099672.tif 000018
【図１７】
2008099672.tif 000019
【図１８】
2008099672.tif 000020
【図１９】
2008099672.tif 000021